(57)【要約】【課題】加工精度が高くなくても段鼻や蹴込板との間に隙間が生じ難く、しかも傷やきしみ音が発生し難い廻り階段用幅木を提供する。【解決手段】廻り階段に配置され、踏板Ｆの外周側端部の上端に沿って水平に延びる第一部材２１と、蹴込板Ｋの外周側の前方で鉛直に延びる第二部材２２を備える廻り階段用幅木２００であって、第二部材２２は、蹴込板Ｋに接する第二パッキン２４が後端に取付けられた縦長板状の第二本体部２２ａと、第二本体部２２ａの上端の前端から略中央までの部位が上方へ突出する第二突出部２２ｂを備え、第二突出部２２ｂの後端は、側板Ｓに接する裏側から表側に向かって後方へ傾斜し、第二パッキン２４が蹴込板Ｋの前面に弾接するとともに、第二突出部２２ｂの傾斜部分２２ｃの先端が段鼻Ｎの前面に当接する。【選択図】図３
2015078486.tif 000002
【特許請求の範囲】
【請求項１】
側板に接するとともに段鼻が蹴込板よりも前方に突出する踏板の、その高さを順に変えつつ前記踏板及び蹴込板の組合せのそれぞれの位置を回転させた廻り階段に配置され、
前記踏板の外周側端部の上端に沿って水平に延びる第一部材と、前記蹴込板の外周側の前方で鉛直に延びる第二部材を備える廻り階段用幅木であって、
前記第二部材は、
前記蹴込板に接する第二パッキンが後端に取付けられた縦長板状の第二本体部と、
前記第二本体部の上端の前端から略中央までの部位が上方へ突出する第二突出部を備え、
前記第二突出部の後端は、前記側板に接する裏側から表側に向かって後方へ傾斜し、
前記第二パッキンが前記蹴込板の前面に弾接するとともに、前記第二突出部の傾斜部分の先端が前記段鼻の前面に当接することを特徴とする廻り階段用幅木。
【請求項２】
前記傾斜部分の高さは前記段鼻の厚さと略等しく、前記傾斜部分が前記段鼻と相対向することを特徴とする請求項１に記載の廻り階段用幅木。
【請求項３】
側板に接するとともに段鼻が蹴込板よりも前方に突出する踏板の、その高さを順に変えつつ前記踏板及び蹴込板の組合せのそれぞれの位置を回転させた廻り階段に配置され、
前記踏板の外周側端部の上端に沿って水平に延びる第一部材と、前記蹴込板の外周側の前方で鉛直に延びる第二部材を備える廻り階段用幅木であって、
前記第二部材は、第二パッキンが後端に取付けられた縦長板状の第二本体部を備えるとともに、
前記蹴込板の前面に接し前記第二部材の第二パッキンと前記蹴込板との隙間を塞ぐ縦長板状の第三部材をさらに備え、
前記第三部材の後端は、前記側板に接する裏側から表側に向かって後方へ傾斜して、
前記第二パッキンの上部が前記段鼻の前面に弾接するとともに、前記第三部材の傾斜部分の先端が前記蹴込板の前面に当接することを特徴とする廻り階段用幅木。
【請求項４】
前記傾斜部分の先端の角度を、平面視で４５°未満としたことを特徴とする請求項１乃至３のうちいずれか一つに記載の廻り階段用幅木。
【請求項５】
前記踏板及び蹴込板の組合せの回転角度にかかわらず、前記傾斜部分の先端の角度を一定としたことを特徴とする請求項４に記載の廻り階段用幅木。
【発明の詳細な説明】
【技術分野】
【０００１】
本発明は、廻り階段に配置され、水平に延びる第一部材と鉛直に延びる第二部材を備える廻り階段用幅木に関するものである。
【背景技術】
【０００２】
箱形階段と称される従来の階段では、側板表面に踏板及び蹴込板の端部が入る溝を加工した上で、踏板及び蹴込板を取り付けて完成される。通常この方法では、踏板、蹴込板、側板が同一樹種・色で統一されて施工されるので、高精度で施工した場合は、美観上優れる。
しかし、施工には高度の技術が要求され、特に側板への踏板及び蹴込板の取付け部分加工の際に、化粧面に直接ノミ等の工具で加工を行う必要があるので、化粧面を傷つけないように神経を使う上、踏板との間に隙間が生じやすい欠点がある。
【０００３】
そこで近年では、特に低コスト住宅を中心に、より簡易な方法が提案され、一般化されている。これは一般に雛壇階段と称される階段において、箱形階段の側板に相当するささら桁上面を鋸歯状に加工を行ない、この上に踏板及び蹴込板を置くように施工する階段である(例えば、引用文献１参照)。
この方法だと、ささら桁には、踏板や蹴込板の入る複雑な溝を加工する必要は無く、踏板や蹴込板が載せられるだけの単純な鋸歯状加工を行うだけで済む。しかも、ささら桁に関しては、施工完了後、完全に階段裏側に隠れてしまうので、化粧材も不要で、箱型階段における側板のように、化粧面を傷つけないように神経を使う必要も無い。
【０００４】
この雛壇階段では、ささら桁上に踏板を直接置いて施工するので、踏板両端は側板にそのまま接した状態となっている。このままでは踏板端部と側板との間の隙間（５〜１０ｍｍ程度）が目立つので、通常は階段幅木と称される部材で、この隙間を隠蔽する方法が行われる。
この階段幅木については、踏板と蹴込板が約９０度の角度で１３段程度連続するので、部屋に使用される幅木とは異なり、踏板及び蹴込板に合わせて、留め加工を用いてＬ字状の基本ユニットを組み合わせて施工する場合が多かった（例えば、引用文献２参照）。
【０００５】
このような階段幅木は、上り始めと上りきりで向きが１８０度変化する平面コ字状の折り返し階段や、上り始めと上りきりで向きが９０度変化する平面Ｌ字状のかね折れ階段の、その折り返し部分である廻り階段にも用いられるが、直線階段では踏板（段鼻）や蹴込板が側板（すなわち廻り階段用幅木も）に直角であることに対し、図１５に示すように廻り階段ではその角度は直角とは限らない。
【０００６】
踏板Ｆや蹴込板Ｋと廻り階段用幅木１００のなす角度が直角でないと、廻り階段用幅木１００と踏板Ｆや蹴込板Ｋとの間に隙間が生じ易い。また、踏板Ｆ等と廻り階段用幅木１００の角度によっては（図１５のＢ部及びＥ部）、廻り階段用幅木１００の後端を斜めにカットしないと、確実に隙間が生じてしまう。
隙間が生じると、美観が損なわれるだけでなく隙間にゴミが入り込むので、好ましくない。
【０００７】
したがって、図１６乃至２０に示すように、その隙間が生じないように段鼻Ｎや踏板Ｆの前面に当接する廻り階段用幅木１００の部位を必要に応じてそれぞれ斜めにカットして、その先端を段鼻Ｎや踏板Ｆに当接させる廻り階段用幅木１００が開示されている（例えば、特許文献３参照）。
【先行技術文献】
【特許文献】
【０００８】
【特許文献１】特開平０９−２２８５９８号公報
【特許文献２】実開平０５−０３４２３２号公報
【特許文献３】特開平１０−３７４２０号公報
【０００９】
この廻り階段用幅木１００は、図１５のＡ部（図１６）、Ｃ部（図１８）、及びＤ部（図１９）に配置されるものは、廻り階段用幅木１００の表面に対して後端が垂直にカットされている。
一方、図１５のＢ部及びＥ部では、同じように後端を垂直にカットした廻り階段用幅木１００を配置すると、踏板Ｆ及び蹴込板Ｋの回転角度の関係で廻り階段用幅木１００の木口面が外観に現れて美観を損ね、またその木口面の露出に伴って隙間が生じるので、図１７や図２０に示すように廻り階段用幅木１００の後端の部位の二箇所をそれぞれ斜めにカットし、それを防止している。
このようにして、廻り階段用幅木１００の後端を段鼻Ｎの前面及び蹴込板Ｋの前面の両方に当接させている。
【発明の概要】
【発明が解決しようとする課題】
【００１０】
しかしながら、廻り階段用幅木１００の表面に対して垂直のカット、及び斜めのカットのいずれであっても、前後方向の位置が異なる段鼻Ｎと蹴込板Ｋが同時に廻り階段用幅木１００に当接するので、廻り階段用幅木１００の加工精度が高くないと結局は廻り階段用幅木１００と段鼻Ｎの間、又は廻り階段用幅木１００と蹴込板Ｋの間のうちいずれか一方に隙間が生じてしまう。
また、廻り階段用幅木１００が段鼻Ｎや蹴込板Ｋと当接する部位は、擦れて外観面に傷が付き易く、またきしみ音が発生し易い。
【００１１】
そこで、本発明の目的とするところは、加工精度が高くなくても段鼻や蹴込板との間に隙間が生じ難く、しかも傷やきしみ音が発生し難い廻り階段用幅木を提供することにある。
【課題を解決するための手段】
【００１２】
上記の目的を達成するために、本発明の請求項１に記載の廻り階段用幅木（２００）は、側板（Ｓ）に接するとともに段鼻（Ｎ）が蹴込板（Ｋ）よりも前方に突出する踏板（Ｆ）の、その高さを順に変えつつ前記踏板（Ｆ）及び蹴込板（Ｋ）の組合せのそれぞれの位置を回転させた廻り階段に配置され、前記踏板（Ｆ）の外周側端部の上端に沿って水平に延びる第一部材（２１）と、前記蹴込板（Ｋ）の外周側の前方で鉛直に延びる第二部材（２２）を備える廻り階段用幅木（２００）であって、前記第二部材（２２）は、前記蹴込板（Ｋ）に接する第二パッキン（２４）が後端に取付けられた縦長板状の第二本体部（２２ａ）と、前記第二本体部（２２ａ）の上端の前端から略中央までの部位が上方へ突出する第二突出部（２２ｂ）を備え、前記第二突出部（２２ｂ）の後端は、前記側板（Ｓ）に接する裏側から表側に向かって後方へ傾斜し、前記第二パッキン（２４）が前記蹴込板（Ｋ）の前面に弾接するとともに、前記第二突出部（２２ｂ）の傾斜部分（２２ｃ）の先端が前記段鼻（Ｎ）の前面に当接することを特徴とする。
【００１３】
また、請求項２に記載の廻り階段用幅木（２００）は、前記傾斜部分（２２ｃ）の高さは前記段鼻（Ｎ）の厚さと略等しく、前記傾斜部分（２２ｃ）が前記段鼻（Ｎ）と相対向することを特徴とする。
【００１４】
また、請求項３に記載の廻り階段用幅木（２００）は、側板（Ｓ）に接するとともに段鼻（Ｎ）が蹴込板（Ｋ）よりも前方に突出する踏板（Ｆ）の、その高さを順に変えつつ前記踏板（Ｆ）及び蹴込板（Ｋ）の組合せのそれぞれの位置を回転させた廻り階段に配置され、前記踏板（Ｆ）の外周側端部の上端に沿って水平に延びる第一部材（２１）と、前記蹴込板（Ｋ）の外周側の前方で鉛直に延びる第二部材（２２）を備える廻り階段用幅木（２００）であって、前記第二部材（２２）は、第二パッキン（２４）が後端に取付けられた縦長板状の第二本体部（２２ａ）を備えるとともに、前記蹴込板（Ｋ）の前面に接し前記第二部材（２２）の第二パッキン（２４）と前記蹴込板（Ｋ）との隙間を塞ぐ縦長板状の第三部材（２５）をさらに備え、前記第三部材（２５）の後端は、前記側板（Ｓ）に接する裏側から表側に向かって後方へ傾斜して、前記第二パッキン（２４）の上部（２４Ａ）が前記段鼻（Ｎ）の前面に弾接するとともに、前記第三部材（２５）の傾斜部分（２５ｃ）の先端が前記蹴込板（Ｋ）の前面に当接することを特徴とする。
【００１５】
また、請求項４に記載の廻り階段用幅木（２００）は、前記傾斜部分（２２ｃ，２５ｃ）の先端の角度を、平面視で４５°未満としたことを特徴とする。
【００１６】
また、請求項５に記載の廻り階段用幅木（２００）は、前記踏板（Ｆ）及び蹴込板（Ｋ）の組合せの回転角度にかかわらず、前記傾斜部分（２２ｃ，２５ｃ）の先端の角度を一定としたことを特徴とする。
【００１７】
ここで、上記括弧内の記号は、図面および後述する発明を実施するための形態に掲載された対応要素または対応事項を示す。
【発明の効果】
【００１８】
本発明の請求項１に記載の廻り階段用幅木によれば、第二本体部に取付けられた第二パッキンが蹴込板の前面に弾接するとともに、第二突出部の傾斜部分の先端が段鼻の前面に当接するので、第二パッキンによって隙間が吸収され、加工精度が高くなくても第二パッキンと蹴込板との間、及び第二突出部と段鼻との間のいずれにも隙間が生じ難い。
また、第二パッキンが蹴込板の前面に弾接するので、その蹴込板の外観面に傷が付き難く、蹴込板において当接に伴うきしみ音はほとんどしない。
また、第二パッキンはそれ自体が保護材になるので、廻り階段用幅木の輸送時の保護は第二突出部の傾斜部分だけで済む。
【００１９】
また、請求項２に記載の廻り階段用幅木によれば、請求項１に記載の発明の作用効果に加え、傾斜部分の高さは段鼻の厚さと略等しく、傾斜部分が段鼻と相対向するので、輸送時等に破損し易い傾斜部分は必要最小限の大きさである。
【００２０】
また、請求項３に記載の廻り階段用幅木によれば、第二パッキンの上部が段鼻の前面に弾接するとともに、第三部材の傾斜部分の先端が蹴込板の前面に当接するので、第二パッキンによって隙間が吸収され、加工精度が高くなくても第二パッキンと段鼻との間、及び第三部材と蹴込板との間のいずれにも隙間が生じ難い。
また、第二パッキンの上部が段鼻の前面に弾接するので、段鼻の外観面に傷が付き難い。また、段鼻においてきしみ音はほとんどしない。
【００２１】
また、請求項４に記載の廻り階段用幅木によれば、請求項１乃至３に記載の発明の作用効果に加え、傾斜部分の先端の角度を、平面視で４５°未満としたので、踏板及び蹴込板の組合せの回転角度にかかわらず、廻り階段に廻り階段用幅木を配置したときに廻り階段用幅木の木口面が外観に現れず、また木口面の露出に伴う隙間も生じない。よって、確実に美観を向上させることができる。
【００２２】
また、請求項５に記載の廻り階段用幅木によれば、請求項４に記載の発明の作用効果に加え、踏板及び蹴込板の組合せの回転角度にかかわらず、傾斜部分の先端の角度を一定としたので、その角度が何種類もある場合と比べてコストの低減になる。
すなわち、廻り階段の段数が増減しても、あるいは直線階段であっても、一種類の廻り階段用幅木で対応できるので、製造コスト及び製品管理コストを低減可能である。
【００２３】
なお、本発明の廻り階段用幅木のように、第二パッキンが蹴込板又は段鼻の前面に弾接するとともに、傾斜部分の先端が段鼻又は蹴込板の前面に当接する点は、上述した特許文献１乃至３には全く記載されていない。
【図面の簡単な説明】
【００２４】
【図１】本発明の第一実施形態に係る廻り階段用幅木を示す正面図である。
【図２】本発明の第一実施形態に係る廻り階段用幅木を示す、図１のＸ−Ｘ線拡大断面図である。
【図３】図１５のＡ部に配置された本発明の第一実施形態に係る廻り階段用幅木を示す、図１のＸ−Ｘ線拡大断面図である。
【図４】図１５のＢ部に配置された本発明の第一実施形態に係る廻り階段用幅木を示す、図１のＸ−Ｘ線拡大断面図である。
【図５】図１５のＣ部に配置された本発明の第一実施形態に係る廻り階段用幅木を示す、図１のＸ−Ｘ線拡大断面図である。
【図６】図１５のＤ部に配置された本発明の第一実施形態に係る廻り階段用幅木を示す、図１のＸ−Ｘ線拡大断面図である。
【図７】図１５のＥ部に配置された本発明の第一実施形態に係る廻り階段用幅木を示す、図１のＸ−Ｘ線拡大断面図である。
【図８】図１５のＡ部に配置された本発明の第一実施形態に係る廻り階段用幅木における第二パッキンを広げた状態を示す、図１のＸ−Ｘ線拡大断面図である。
【図９】本発明の第二実施形態に係る廻り階段用幅木を示す正面図である。
【図１０】図１５のＡ部に配置された本発明の第二実施形態に係る廻り階段用幅木を示す、図９のＹ−Ｙ線拡大断面図である。
【図１１】図１５のＢ部に配置された本発明の第二実施形態に係る廻り階段用幅木を示す、図９のＹ−Ｙ線拡大断面図である。
【図１２】図１５のＣ部に配置された本発明の第二実施形態に係る廻り階段用幅木を示す、図９のＹ−Ｙ線拡大断面図である。
【図１３】図１５のＤ部に配置された本発明の第二実施形態に係る廻り階段用幅木を示す、図９のＹ−Ｙ線拡大断面図である。
【図１４】図１５のＥ部に配置された本発明の第二実施形態に係る廻り階段用幅木を示す、図９のＹ−Ｙ線拡大断面図である。
【図１５】左廻りの廻り階段を示す平面図である。
【図１６】図１５のＡ部に配置された従来例に係る廻り階段用幅木を示す要部拡大断面図である。
【図１７】図１５のＢ部に配置された従来例に係る廻り階段用幅木を示す要部拡大断面図である。
【図１８】図１５のＣ部に配置された従来例に係る廻り階段用幅木を示す要部拡大断面図である。
【図１９】図１５のＤ部に配置された従来例に係る廻り階段用幅木を示す要部拡大断面図である。
【図２０】図１５のＥ部に配置された従来例に係る廻り階段用幅木を示す要部拡大断面図である。
【発明を実施するための形態】
【００２５】
（第一実施形態）
図１乃至図７、及び図１５を参照して、本発明の第一実施形態に係る廻り階段用幅木２００を説明する。
この廻り階段用幅木２００は、第一部材２１と、第二部材２２を備える。そして、特に第二部材２２の形状に特徴を有する。
また、この廻り階段用幅木２００の取付けの対象となる廻り階段は、鉛直に延びる蹴込板Ｋと水平に延びる踏板Ｆからなり、その踏板Ｆの前端部分である段鼻Ｎが蹴込板Ｋよりも前方に突出する。また、蹴込板Ｋや踏板Ｆの少なくともいずれか一端（図１においては紙面奥側）は側板に接する。
そして、踏板Ｆの高さを順に変えつつ、図１５に示すように踏板Ｆ及び蹴込板Ｋの組合せのそれぞれの位置を回転させており、ここでは上り始めと上りきりで向きが１８０度変化する折り返し階段の折り返し部分は六段である。
なお、図１等における紙面右側を階段幅木２００の前方とし、紙面左側を後方とする。また、従来例で示したものと同一部分には同一符号を付した。
【００２６】
第一部材２１は、廻り階段に取付けられた状態において、側板Ｓに接するとともに踏板Ｆの側板Ｓ側（外周側）の上端に沿って水平に延び、第一本体部２１ａと第一突出部２１ｂからなる。
第一本体部２１ａは、横長板状で、踏板Ｆに接する第一パッキン２３が下端に取付けられている。
そして第一突出部２１ｂが、第一本体部２１ａの前端の略中央から前側上方に傾斜して三角形状に突出する。
【００２７】
第一パッキン２３は踏板Ｆの外周側の上面に接し、第一パッキン２３の前後方向の長さは第一本体部２１ａの前後方向長さに等しく、段鼻Ｎを含めた踏板Ｆの前後方向の長さから他の第二部材２２の前後方向の長さを減じた長さとも等しい。
また、第一本体部２１ａの前端は段鼻Ｎの前端と面一であり、第一本体部２１ａの上端と第一突出部２１ｂの上端は面一となっている。
また、第一突出部２１ｂの傾斜部分と第一部材２１の上端とのなす角度は４５°である。
そして、第一突出部２１ｂと第二突出部２２ｂが留め継ぎされて第一部材２１と第二部材２２とのなす角度が略９０°となっている。
【００２８】
第二部材２２は、側板Ｓに接するとともに蹴込板Ｋの側板Ｓ側の前方で鉛直に延び、第二本体部２２ａと第二突出部２２ｂからなる。
第二本体部２２ａは、縦長板状で、蹴込板Ｋに接する第二パッキン２４が後端に取付けられている。
そして、第二本体部２２ａの上端の前端から略中央までの部位が第二突出部２２ｂとして、上方へ矩形状に突出するとともに、さらにその矩形状突出部分の後端の上端から前側上方に傾斜して三角形状に突出している。
【００２９】
第二パッキン２４は蹴込板Ｋの外周側端部の前面全面に接し、第二パッキン２４の上下方向の長さは第二本体部２２ａの上下方向の長さに等しく、蹴込板Ｋの上下方向の長さから他の踏板Ｆの厚さを減じた長さとも等しい。
第二パッキン２４、第一パッキン２３ともに表側から裏側へ湾曲突出した断面略舌状であり、外力を加えない状態においては湾曲突出部分が閉状態であるが、これを開状態とすることもできる。
また、第二本体部２２ａの上端は、蹴込板Ｋの上端と面一であり、段鼻Ｎ（踏板Ｆ）の下端に接している。
また、第二本体部２２ａの前端、第二突出部２２ｂの矩形状部分の前端、及び第二突出部２２ｂの三角形状部分の前端は面一になっている。
【００３０】
さらに、第二突出部２２ｂの矩形状部分の高さは、第一本体部２１ａの下端から第一突出部２１ｂの下端までの高さに段鼻Ｎの厚さを加えた高さ以上、かつ第一本体部２１ａの下端から第一突出部２１ｂの下端までの高さに段鼻Ｎの厚さと第一パッキン２３の幅を加えた高さ未満である。
すなわち、第一パッキン２３の伸び縮みの分だけ、第二突出部２２ｂの矩形状部分の高さの許容値に余裕がある。
また、第二突出部２２ｂの矩形状突出部分の後端から第二本体部２２ａの後端に第二パッキン２４の幅（厚さ）を加えた長さは、段鼻Ｎの蹴込板Ｋからの突出量に等しく、第二突出部２２ｂの矩形状突出部分の後端に段鼻Ｎの前端が当接する。これも、第一パッキン２３の伸び縮み分と同様に、第二パッキン２４の伸び縮み分だけ許容値に幅があるという意味である。
【００３１】
さらに、図２に示すように第二突出部２２ｂの後端は、側板Ｓに接する裏側から表側に向かって後方へ傾斜する。つまり、この厚さ方向傾斜部分２２ｃは表側かつ後方側が尖った先端となっている。
厚さ方向傾斜部分２２ｃの先端の角度は、平面視で４５°未満である。なお、加工の容易さの都合でちょうど４５°としてもよい。
また、厚さ方向傾斜部分２２ｃは、第二突出部２２ｂの下端から段鼻Ｎの厚さと略等しい高さまで形成されている。
【００３２】
このように構成された廻り階段用幅木２００を廻り階段のそれぞれの踏板Ｆ及び蹴込板Ｋの組合せに配置したときには、図３乃至図７のようになる。
つまり、図１５に示すＡ部〜Ｅ部の五箇所は、全て同じ形状の第一部材２１及び第二部材２２からなる廻り階段用幅木２００が用いられ、第二パッキン２４が蹴込板Ｋの前面に弾接するとともに、第二突出部２２ｂの厚さ方向傾斜部分２２ｃの先端が段鼻Ｎの前面に相対向して当接する。換言すれば、廻り階段（段鼻Ｎ及び蹴込板Ｋ）に当接する廻り階段用幅木２００の部位のうち、第二突出部２２ｂの後端のみが厚さ方向に傾斜している。
図１５に示すＡ部〜Ｅ部のいずれにおいても図３乃至図７に示すように第二パッキン２４は閉状態であるが、図８に示すように第二パッキン２４を開状態として蹴込板Ｋとの隙間を埋めてもよい。
なお、図３乃至図７では段鼻Ｎの前面を二点鎖線で表現した。また段鼻Ｎ（踏板Ｆ）の断面のハッチングは図面の視認性悪化を防止するために省略している。
【００３３】
以上のように構成された廻り階段用幅木２００によれば、第二本体部２２ａに取付けられた第二パッキン２４が蹴込板Ｋの前面に弾接するとともに、第二突出部２２ｂの傾斜部分２２ｃの先端が段鼻Ｎの前面に当接するので、第二パッキン２４によって隙間が吸収され、加工精度が高くなくても第二パッキン２４と蹴込板Ｋとの間、及び第二突出部２２ｂと段鼻Ｎとの間のいずれにも隙間が生じ難い。
また、第二パッキン２４が蹴込板Ｋの前面に弾接するので、その蹴込板Ｋの外観面に傷が付き難く、蹴込板Ｋにおいて当接に伴うきしみ音はほとんどしない。
また、第二パッキン２４はそれ自体が保護材になるので、廻り階段用幅木２００の輸送時の保護は第二突出部２２ｂの傾斜部分２２ｃだけで済む。
また、傾斜部分２２ｃの高さは段鼻Ｎの厚さと略等しく、傾斜部分２２ｃが段鼻Ｎと相対向するので、輸送時等に破損し易い傾斜部分２２ｃは必要最小限の大きさである。
【００３４】
また、傾斜部分２２ｃの先端の角度を、平面視で４５°未満としたので、踏板Ｆ及び蹴込板Ｋの組合せの回転角度にかかわらず、廻り階段に廻り階段用幅木２００を配置したときに廻り階段用幅木２００の木口面が外観に現れず、また木口面の露出に伴う隙間も生じない。よって、確実に美観を向上させることができる。
【００３５】
しかも、踏板Ｆ及び蹴込板Ｋの組合せの回転角度にかかわらず、傾斜部分２２ｃの先端の角度を一定としたので、その角度が何種類もある場合と比べてコストの低減になる。
すなわち、廻り階段の段数が増減しても、あるいは直線階段であっても、一種類の廻り階段用幅木２００で対応できるので、製造コスト及び製品管理コストを低減可能である。
【００３６】
（第二実施形態）
次に図９乃至図１５を参照して、本発明の第二実施形態に係る廻り階段用幅木２００を説明する。なお、第一実施形態と同一部分には同一符号を付した。
【００３７】
この廻り階段用幅木２００は、第一部材２１と、第二部材２２と、第三部材２５を備える。
第一部材２１は、第一本体部２１ａと第一突出部２１ｂからなる。
第一本体部２１ａは、横長矩形状で、踏板Ｆに接する第一パッキン２３が下端に取付けられている。
また、第一突出部２１ｂは、第一本体部２１ａの前端の下端から前側上方に傾斜して三角形状に突出している。
【００３８】
第二部材２２は、第二本体部２２ａと第二突出部２２ｂからなる。
第二本体部２２ａは、縦長矩形状で、第二パッキン２４が後端に取付けられている。
また、第二突出部２２ｂは、第二本体部２２ａの後端の上端から前側上方に傾斜して三角形状に突出している。
第二パッキン２４は、段鼻Ｎの下端のラインで上下二つに分かれており、上側の段鼻Ｎ前端に当接する部分２４Ａは閉状態であり、一方それより下の部分２４Ｂは開状態である。
この第二パッキン２４の開状態部分２４Ｂは、後述する第三部材２５の前部に表側から被せられ、第二パッキン２４の先端裏面が第三部材２５に弾接している。
【００３９】
そして、第一突出部２１ｂと第二突出部２２ｂが留め継ぎされて第一部材２１と第二部材２２とのなす角度が略９０°となっている。
【００４０】
第三部材２５は、縦長矩形状で、蹴込板Ｋの前端に接して設けられ、第二部材２２の第二パッキン２４の開状態部分と蹴込板Ｋとの隙間を塞いでいる。
また、第三部材２５の後端は、側板Ｓに接する裏側から表側に向かって後方へ傾斜した厚さ方向傾斜部分２５ｃとなっている。
【００４１】
このように構成された廻り階段用幅木２００を廻り階段のそれぞれの踏板Ｆ及び蹴込板Ｋの組合せに配置したときには、図１０乃至図１４のようになる。
つまり、図１５に示すＡ部〜Ｅ部の五箇所は、全て同じ形状の第一部材２１、第二部材２２、及び第三部材２５からなる廻り階段用幅木２００が用いられ、第一実施形態とは異なり、第二パッキン２４の上部が段鼻Ｎの前面に弾接するとともに、第三部材２５の厚さ方向傾斜部分２５ｃの先端が蹴込板Ｋの前面に当接している。
【００４２】
以上のように構成された廻り階段用幅木２００によれば、第二パッキン２４の上部２４Ａが段鼻Ｎの前面に弾接するとともに、第三部材２５の厚さ方向傾斜部分２５ｃの先端が蹴込板Ｋの前面に当接するので、第二パッキン２４によって隙間が吸収され、加工精度が高くなくても第二パッキン２４と段鼻Ｎとの間、及び第三部材２５と蹴込板Ｋとの間のいずれにも隙間が生じ難い。
また、第二パッキン２４の上部２４Ａが段鼻Ｎの前面に弾接するので、段鼻Ｎの外観面に傷が付き難い。また、段鼻Ｎにおいてきしみ音はほとんどしない。
また、第二パッキン２４の下部２４Ｂを開状態として第三部材２５に表側から被せているので、略舌状部分の長さ分だけ第二部材２２と第三部材２５との間隔を調整可能である。
【００４３】
なお、第一、第二実施形態において、厚さ方向傾斜部分２２ｃ，２５ｃの先端の角度を、平面視で４５°未満としたが、これに限られるものではない。
【００４４】
また、踏板Ｆ及び蹴込板Ｋの組合せの回転角度にかかわらず、厚さ方向傾斜部分２２ｃ，２５ｃの先端の角度を一定としたが、これに限られるものではなく、数種類の廻り階段用幅木２００を用いてもよい。
【００４５】
また、段鼻Ｎに当接する部位と蹴込板Ｋに当接する部位のうち、いずれか一方に第二パッキン２４を取付けて、他方は厚さ方向に傾斜を設けるのみとしたが、これに限られるものではなく両方にパッキンを設けてもよい。但し、この場合には製造コストが嵩んでしまう。
また、廻り階段は六段であるとしたが、これに限られるものではない。
【符号の説明】
【００４６】
２１      第一部材
２１ａ    第一本体部
２１ｂ    第一突出部
２２      第二部材
２２ａ    第二本体部
２２ｂ    第二突出部
２２ｃ    傾斜部分（厚さ方向傾斜部分）
２３      第一パッキン
２４      第二パッキン
２５      第三部材
２５ｃ    傾斜部分（厚さ方向傾斜部分）
１００      廻り階段用幅木
２００      廻り階段用幅木
Ｆ      踏板
Ｋ      蹴込板
Ｎ      段鼻
Ｓ      側板
【図１】
2015078486.tif 000003
【図２】
2015078486.tif 000004
【図３】
2015078486.tif 000005
【図４】
2015078486.tif 000006
【図５】
2015078486.tif 000007
【図６】
2015078486.tif 000008
【図７】
2015078486.tif 000009
【図８】
2015078486.tif 000010
【図９】
2015078486.tif 000011
【図１０】
2015078486.tif 000012
【図１１】
2015078486.tif 000013
【図１２】
2015078486.tif 000014
【図１３】
2015078486.tif 000015
【図１４】
2015078486.tif 000016
【図１５】
2015078486.tif 000017
【図１６】
2015078486.tif 000018
【図１７】
2015078486.tif 000019
【図１８】
2015078486.tif 000020
【図１９】
2015078486.tif 000021
【図２０】
2015078486.tif 000022